(57)【要約】    【課題】  像ぶれ補正（防振）のための駆動手段の負荷が少なく、装置全体の小型化が容易でかつ防振性能を良好に維持することが容易な広画角で高ズーム比のズームレンズを得ること。    【解決手段】  物体側から像側へ順に、負正負正の屈折力の第１ないし第４レンズ群を有し、広角端に比べて望遠端での第１レンズ群と第２レンズ群との間隔が小さく、第２レンズ群と第３レンズ群との間隔が大きく、第３レンズ群と第４レンズ群との間隔が小さくなるように、各レンズ群が移動するズームレンズであって、物体側から像側へ順に、前記第２レンズ群は、全体として正の屈折力の第２Ａレンズ成分と、全体として正の屈折力の第２Ｂレンズ成分を有し、第２Ｂレンズ成分は光軸に対して垂直方向の成分を持つように移動して像変位を行うレンズ成分であり、第２レンズ群と第２Ｂレンズ成分の焦点距離を各々ｆ２、ｆ２Ｂと設定する。【選択図】    図１
2016212246.tif 000002
【特許請求の範囲】
【請求項１】
物体側から像側へ順に、負の屈折力の第１レンズ群、正の屈折力の第２レンズ群、負の屈折力の第３レンズ群、正の屈折力の第４レンズ群からなり、広角端から望遠端へのズーミングに際して第１レンズ群と第２レンズ群との間隔が小さく、第２レンズ群と第３レンズ群との間隔が大きく、第３レンズ群と第４レンズ群との間隔が小さくなるように、各レンズ群が移動するズームレンズであって、
前記第２レンズ群は、物体側から像側へ順に、全体として正の屈折力の第２Ａレンズ成分と、全体として正の屈折力の第２Ｂレンズ成分からなり、該第２Ｂレンズ成分は、光軸に対して垂直方向の成分を持つ方向に移動して像ぶれ補正を行うレンズ成分であり、前記第２レンズ群と前記第２Ｂレンズ成分の焦点距離を各々ｆ２、ｆ２Ｂとするとき、
０．１＜ｆ２／ｆ２Ｂ＜０．６
なる条件式を満足することを特徴とするズームレンズ。
【請求項２】
前記第１レンズ群の焦点距離をｆ１、望遠端における全系の焦点距離をｆｔとするとき、
０．４＜｜ｆ１／ｆｔ｜＜０．６
なる条件式を満足することを特徴とする請求項１に記載のズームレンズ。
【請求項３】
望遠端における前記第１レンズ群と前記第２レンズ群の間隔をｄ１２ｔ、望遠端における全系の焦点距離をｆｔとするとき、
０．０１＜ｄ１２ｔ／ｆｔ＜０．１５
なる条件式を満足することを特徴とする請求項１または２に記載のズームレンズ。
【請求項４】
前記第２Ｂレンズ成分は１枚の正レンズＧ２Ｂｐからなることを特徴とする請求項１乃至３のいずれか１項に記載のズームレンズ。
【請求項５】
前記正レンズＧ２Ｂｐの物体側のレンズ面と像側のレンズ面の曲率半径を各々ＲＢ１、ＲＢ２とするとき、
−０．３＜（ＲＢ１＋ＲＢ２）／（ＲＢ１−ＲＢ２）＜０．３
なる条件式を満足することを特徴とする請求項４に記載のズームレンズ。
【請求項６】
前記正レンズＧ２Ｂｐの材料のアッベ数をνＢとするとき、
６５．０＜νＢ
なる条件式を満足することを特徴とする請求項４または５に記載のズームレンズ。
【請求項７】
前記第２Ａレンズ成分は、正レンズと負レンズを接合した接合レンズを有することを特徴とする請求項１乃至６のいずれか１項に記載のズームレンズ。
【請求項８】
前記第２レンズ群の中に開口絞りが配置されており、前記開口絞りから前記第２Ｂレンズ成分の最も物体側のレンズ面までの光軸上の距離をＤＰＢ、前記第２レンズ群の厚みをＢ２とするとき、
０．５＜ＤＰＢ／Ｂ２＜０．９
なる条件式を満足することを特徴とする請求項１乃至７のいずれか１項に記載のズームレンズ。
【請求項９】
前記第２Ａレンズ成分の中で最も像側のレンズ面と前記第２Ｂレンズ成分の中で最も物体側のレンズ面との光軸上の距離をＤ２ＡＢ、前記第２レンズ群の厚みをＢ２とするとき、
０．０５＜Ｄ２ＡＢ／Ｂ２＜０．３０
なる条件式を満足することを特徴とする請求項１乃至８のいずれか１項に記載のズームレンズ。
【請求項１０】
広角端から望遠端へのズーミングに際し、前記第１レンズ群は、像側に凸状の軌跡で移動し、前記第２レンズ群、前記第３レンズ群、前記第４レンズ群はいずれも物体側に移動することを特徴とする請求項１乃至９のいずれか１項に記載のズームレンズ。
【請求項１１】
前記第２レンズ群の焦点距離をｆ２、前記第４レンズ群の焦点距離をｆ４とするとき、
０．４＜ｆ２／ｆ４＜０．８
なる条件式を満足することを特徴とする請求項１乃至１０のいずれか１項に記載のズームレンズ。
【請求項１２】
請求項１乃至１１のいずれか１項に記載のズームレンズと、該ズームレンズによって形成された像を受光する撮像素子を有することを特徴とする撮像装置。
【発明の詳細な説明】
【技術分野】
【０００１】
本発明はズームレンズに関し、例えば、デジタルスチルカメラ、ビデオカメラ、或いは監視カメラ等のように固体撮像素子を用いた撮像装置に用いられる撮像光学系として好適なものである。
【背景技術】
【０００２】
近年、写真用カメラ、ビデオカメラ、そしてデジタルカメラ等の撮像装置においては、より高画質な画像が得られることが要望されている。更に、それに用いる撮像光学系は、撮影条件の拡大のため手振れ等による撮影画像のぶれ（像ぶれ）を補正する防振機能を有したズームレンズであることが要望されている。
また、動画撮影が行われるようになり、手ぶれ補正角を大きくしたいと言う要望も強く、その為には防振時の光学性能（防振機能）をより良好に維持できることが要望されている。
【０００３】
従来、防振方法として、ズームレンズの一部のレンズ群（レンズ成分）を光軸に対して垂直方向に平行偏心させて防振を行う方法がある。この方法は、防振のために特別に余分な光学系を必要としない。又、防振のためのレンズ群を軽量化することで、駆動トルクを抑え防振のためのアクチュエータを小型化することができるという特長がある。
【０００４】
一方、ズームレンズとして、負の屈折力のレンズ群が先行する（最も物体側に位置する）所謂ネガティブリード型のズームレンズが知られている。このズームレンズは、近接撮影距離が比較的短くなり、又撮影画角の広画角化が比較的容易であり、又バックフォーカスを比較的長くし易いため、広画角用の撮像光学系に多く用いられている。
【０００５】
防振機能を有するネガティブリード型のズームレンズとして、物体側から順に、負の屈折力の第１レンズ群、正の屈折力の第２レンズ群の２つのレンズ群からなる２群ズームレンズが知られている（特許文献１，２）。この２群ズームレンズは、第２レンズ群の一部のレンズ成分を光軸に対し略垂直方向に移動することで防振を行っている。また、物体側から順に、負、正、負、正の屈折力の第１レンズ群乃至第４レンズ群の４つのレンズ群からなり、第２レンズ群の一部のレンズ成分を光軸に対し略垂直方向に移動することで防振を行う４群ズームレンズが知られている（特許文献３乃至５）。
【先行技術文献】
【特許文献】
【０００６】
【特許文献１】特開平１０−１６１０２４号公報
【特許文献２】特開平７−６４０２５号公報
【特許文献３】特開平９−１１３８０８号公報
【特許文献４】特開２００４−６１９１０号公報
【特許文献５】特開２００７−７８８３４号公報
【発明の概要】
【発明が解決しようとする課題】
【０００７】
一般に、前述した屈折力配置よりなる２群ズームレンズでは第２レンズ群のみに変倍作用を持たせている。このため高ズーム化にするとズーミングに伴う収差変動が増大し、また、ズーミングにおける第２レンズ群の移動量がズーム比に対して比較的大きくなる為、レンズ系全体が大型化してくる等の傾向がある。又、第２レンズ群の一部のレンズ成分を平行偏心させて防振を行う方法は、高ズーム化にすると防振に伴う偏心収差が多く発生してくる傾向がある。
【０００８】
また一般に前述した屈折力配置の４群ズームレンズにおいて、防振に際して、複数のレンズよりなる防振レンズ成分を光軸に対して垂直方向に移動させる方法は、防振レンズ成分が複数であると、防振機能は良好に維持できる。しかしながら防振レンズ成分の重量が増大し、防振レンズ成分を保持するレンズ枠部も大きなものとなってくる。このため、防振駆動を行う駆動系に大きな負担がかかり、その結果、防振駆動系が大型化してくる。又、防振レンズ成分を偏心させて防振するときの、防振レンズ成分の偏心に対するレスポンスが遅れてくる傾向がある。
【０００９】
又、４群ズームレンズにおいて、第２レンズ群の一部の１枚のレンズよりなる防振レンズ成分で防振を行えば防振レンズ成分で軽量化が図られる。しかしながら、防振性能を良好に維持するのが難しくなる。撮像装置に用いる防振機構を有するズームレンズには、像ぶれの補正用の防振レンズ成分が小型で軽量であること、又防振時に光学的な性能劣化が少ないこと等が重要になっている。
【００１０】
本発明は、像ぶれ補正（防振）のための駆動手段の負荷が少なく、装置全体の小型化が容易でかつ防振性能を良好に維持することが容易な広画角で高ズーム比のズームレンズ及びそれを有する撮像装置の提供を目的とする。
【課題を解決するための手段】
【００１１】
本発明のズームレンズは、物体側から像側へ順に、負の屈折力の第１レンズ群、正の屈折力の第２レンズ群、負の屈折力の第３レンズ群、正の屈折力の第４レンズ群からなり、広角端から望遠端へのズーミングに際して第１レンズ群と第２レンズ群との間隔が小さく、第２レンズ群と第３レンズ群との間隔が大きく、第３レンズ群と第４レンズ群との間隔が小さくなるように、各レンズ群が移動するズームレンズであって、
前記第２レンズ群は、物体側から像側へ順に、全体として正の屈折力の第２Ａレンズ成分と、全体として正の屈折力の第２Ｂレンズ成分からなり、該第２Ｂレンズ成分は、光軸に対して垂直方向の成分を持つ方向に移動して像ぶれ補正を行うレンズ成分であり、前記第２レンズ群と前記第２Ｂレンズ成分の焦点距離を各々ｆ２、ｆ２Ｂとするとき、
０．１＜ｆ２／ｆ２Ｂ＜０．６
なる条件式を満足することを特徴としている。
【発明の効果】
【００１２】
本発明によれば、像ぶれ補正（防振）のための駆動手段の負荷が少なく、装置全体の小型化が容易でかつ防振性能を良好に維持することが容易な広画角で高ズーム比のズームレンズが得られる。
【図面の簡単な説明】
【００１３】
【図１】実施例１のズームレンズの広角端におけるレンズ断面図
【図２】（Ａ）、（Ｂ）  実施例１のズームレンズの無限遠合焦時の広角端と望遠端における縦収差図
【図３】（Ａ）、（Ｂ）  実施例１のズームレンズの無限遠合焦時の広角端と望遠端における横収差図
【図４】（Ａ）、（Ｂ）  実施例１のズームレンズの無限遠合焦時の広角端と望遠端における０．３度の像ぶれ補正をしたときの横収差図
【図５】実施例２のズームレンズの広角端におけるレンズ断面図
【図６】（Ａ）、（Ｂ）  実施例２のズームレンズの無限遠合焦時の広角端と望遠端における縦収差図
【図７】（Ａ）、（Ｂ）  実施例２のズームレンズの無限遠合焦時の広角端と望遠端における横収差図
【図８】（Ａ）、（Ｂ）  実施例２のズームレンズの無限遠合焦時の広角端と望遠端における０．３度の像ぶれ補正をしたときの横収差図
【図９】実施例３のズームレンズの広角端におけるレンズ断面図
【図１０】（Ａ）、（Ｂ）  実施例３のズームレンズの無限遠合焦時の広角端と望遠端における縦収差図
【図１１】（Ａ）、（Ｂ）  実施例３のズームレンズの無限遠合焦時の広角端と望遠端における横収差図
【図１２】（Ａ）、（Ｂ）  実施例３のズームレンズの無限遠合焦時の広角端と望遠端における０．３度の像ぶれ補正をしたときの横収差図
【図１３】実施例４のズームレンズの広角端におけるレンズ断面図
【図１４】（Ａ）、（Ｂ）  実施例４のズームレンズの無限遠合焦時の広角端と望遠端における縦収差図
【図１５】（Ａ）、（Ｂ）  実施例４のズームレンズの無限遠合焦時の広角端と望遠端における横収差図
【図１６】（Ａ）、（Ｂ）  実施例４のズームレンズの無限遠合焦時の広角端と望遠端における０．３度の像ぶれ補正をしたときの横収差図
【図１７】本発明の撮像装置の要部概略図
【発明を実施するための形態】
【００１４】
以下に、本発明の好ましい実施の形態を、添付の図面に基づいて詳細に説明する。本発明のズームレンズは、物体側から像側へ順に、負の屈折力の第１レンズ群、正の屈折力の第２レンズ群、負の屈折力の第３レンズ群、正の屈折力の第４レンズ群からなっている。広角端から望遠端へのズーミングに際して第１レンズ群と第２レンズ群との間隔が小さく、第２レンズ群と第３レンズ群との間隔が大きく、第３レンズ群と第４レンズ群との間隔が小さくなるように、各レンズ群が移動する。
【００１５】
そして第２レンズ群は物体側から像側へ順に、全体として正の屈折力の第２Ａレンズ成分と、全体として正の屈折力の第２Ｂレンズ成分からなっている。第２Ｂレンズ成分は、光軸に対して垂直方向の成分を持つ方向に移動して像ぶれ補正（像変位）を行うレンズ成分（防振レンズ成分）である。
【００１６】
図１は、本発明の実施例１のズームレンズの広角端（短焦点距離端）におけるレンズ断面図である。図２（Ａ）、（Ｂ）はそれぞれ実施例１のズームレンズの広角端、望遠端（長焦点距離端）における縦収差図である。図３（Ａ）、（Ｂ）はそれぞれ実施例１のズームレンズの広角端と望遠端における横収差図である。図４（Ａ）、（Ｂ）はそれぞれ実施例１のズームレンズの広角端、望遠端における０．３度の像ぶれ補正をしたときの横収差図である。
【００１７】
図５は、本発明の実施例２のズームレンズの広角端におけるレンズ断面図である。図６（Ａ）、（Ｂ）はそれぞれ実施例２のズームレンズの広角端、望遠端における縦収差図である。図７（Ａ）、（Ｂ）はそれぞれ実施例２のズームレンズの広角端と望遠端における横収差図である。図８（Ａ）、（Ｂ）はそれぞれ実施例２のズームレンズの広角端、望遠端における０．３度の像ぶれ補正をしたときの横収差図である。
【００１８】
図９は、本発明の実施例３のズームレンズの広角端におけるレンズ断面図である。図１０（Ａ）、（Ｂ）はそれぞれ実施例３のズームレンズの広角端、望遠端における縦収差図である。図１１（Ａ）、（Ｂ）はそれぞれ実施例３のズームレンズの広角端と望遠端における横収差図である。図１２（Ａ）、（Ｂ）はそれぞれ実施例３のズームレンズの広角端、望遠端における０．３度の像ぶれ補正をしたときの横収差図である。
【００１９】
図１３は、本発明の実施例４のズームレンズの広角端におけるレンズ断面図である。図１４（Ａ）、（Ｂ）はそれぞれ実施例４のズームレンズの広角端、望遠端における縦収差図である。図１５（Ａ）、（Ｂ）はそれぞれ実施例４のズームレンズの広角端と望遠端における横収差図である。図１６（Ａ）、（Ｂ）はそれぞれ実施例４のズームレンズの広角端、望遠端における０．３度の像ぶれ補正をしたときの横収差図である。
【００２０】
各実施例のズームレンズは、デジタルカメラ、ビデオカメラ、銀塩フィルムカメラ等の撮像装置に用いられる撮像光学系である。レンズ断面図において左方が前方（物体側、拡大側）で右方が後方（像側、縮小側）である。レンズ断面図において、ｉは物体側から像側への各レンズ群の順序を示し、Ｌｉは第ｉレンズ群である。
【００２１】
Ｌ１は負の屈折力の第１レンズ群、Ｌ２は正の屈折力の第２レンズ群、Ｌ３は負の屈折力の第３レンズ群、Ｌ４は正の屈折力の第４レンズ群である。第２レンズ群Ｌ２は正の屈折力の第２Ａレンズ成分Ｌ２Ａと正の屈折力の第２Ｂレンズ成分Ｌ２Ｂを有している。ＳＰは開放Ｆナンバー（Ｆｎｏ）光束を決定（制限）する開口絞りの作用をするＦナンバー決定部材（以下「開口絞り」ともいう。）である。ＩＰは像面であり、ビデオカメラやデジタルスチルカメラの撮影光学系として使用する際にはＣＣＤセンサやＣＭＯＳセンサ等の撮像素子（光電変換素子）の撮像面が置かれる。
【００２２】
又、銀塩フィルム用カメラの撮影光学系として使用する際にはフィルム面に相当する感光面が置かれている。矢印は広角端から望遠端へのズーミングに際しての各レンズ群の移動軌跡を示している。フォーカスに関する矢印は無限遠物体から近距離物体へのフォーカシングにおける第１レンズ群Ｌ１の移動方向を示している。第２Ｂレンズ成分は光軸に対して垂直方向の成分を持つ方向に移動して手ぶれ等によって生ずる像ぶれ補正をする防振レンズ成分である。
【００２３】
それぞれの縦収差図は、左から順に、球面収差（軸上色収差）、非点収差、歪曲、倍率
色収差を表している。球面収差と倍率色収差を示す収差図において、実線のｄはｄ線（５８７．６ｎｍ）、二点鎖線のｇはｇ線（波長４３５．８ｎｍ）、破線のＦはＦ線（波長４８６．１ｎｍ）を表している。また、非点収差を示す図において、実線Ｓはｄ線のサジタル方向、破線Ｍはｄ線のメリディオナル方向を表している。また、歪曲を示す図は、ｄ線における歪曲を表している。ＦｎｏはＦナンバー、ωは半画角（度）である。
【００２４】
ここで、像ぶれ補正に際して第２Ｂレンズ成分Ｌ２Ｂの光軸に対する直交方向への偏芯は微少量であるため、縦収差にはあまり影響しないため、像ぶれ補正をしたときの縦収差図は省略した。また、それぞれの横収差図において、実線はｄ線のサジタル方向、二点鎖線はｄ線のメリディオナル方向を表している。
【００２５】
各実施例のズームレンズでは広角端においてバックフォーカス（レンズ最終面の面頂点から近軸像面までの軸上空気換算距離）が最も短くなる。広角端において長いバックフォーカスを確保するためには、広角端において像側主点がより像側に位置するのが良い。広角端において像側主点をより像側に位置させるためには、全体として、物体側に負の屈折力の成分が位置し、その像側に正の屈折力の成分が位置するような屈折力配置の所謂レトロフォーカス（逆テレフォト）タイプとするのが良い。
【００２６】
そこで各実施例では、広角端において、合成屈折力が正となる第２レンズ群Ｌ２、第３レンズ群Ｌ３、第４レンズ群Ｌ４よりなる部分系を負の屈折力の第１レンズ群Ｌ１から光軸方向に大きく離して配置している。更に、第２レンズ群Ｌ２、第３レンズ群Ｌ３、第４レンズ群Ｌ４より構成される部分系においても、像側主点がより像側に位置するように、負の屈折力の第３レンズ群Ｌ３を部分系内で可能な限り物体側へ位置するようにしている。
【００２７】
このように広角端における各レンズ群の光軸方向の配置を適切に設定することで、各実施例のズームレンズは、広角端において十分長いバックフォーカスが得られるようにしている。一方、望遠端においてレンズ全長を短縮化するためには、像側主点がより物体側に位置するよう各レンズ群を配置するのが良い。像側主点をより物体側に位置させるためには、全体として、物体側に正の屈折力の成分が位置し、その像側に負の屈折力の成分が位置するような屈折力配置の所謂テレフォトタイプとするのが良い。
【００２８】
そこで各実施例では、望遠端において、第１レンズ群Ｌ１と第２レンズ群Ｌ２が接近して合成の屈折力が正となる部分系を構成している。そして第３レンズ群Ｌ３と第４レンズ群Ｌ４が接近して合成の屈折力が負となる部分系を構成するようにしている。このように望遠端における各レンズ群の屈折力配置を適切に設定することで、各実施例のズームレンズは、望遠端においてレンズ全長を短縮している。ここでレンズ全長とは第１レンズ面から最終レンズ面までの距離に空気換算でのバックフォーカスの値を加えたものである。
【００２９】
各実施例のズームレンズは、広角端に比して望遠端における各レンズ群の間隔変化は次のとおりである。第１レンズ群Ｌ１と第２レンズ群Ｌ２の間隔が減少、第２レンズ群Ｌ２と第３レンズ群Ｌ３の間隔が増大、第３レンズ群Ｌ３と第４レンズ群Ｌ４の間隔が減少する。ズーミングに際して各レンズ群が移動する。広角端から望遠端へのズーミングに際してレンズ断面の矢印で示すように、第２レンズ群Ｌ２，第３レンズ群Ｌ３，第４レンズ群Ｌ４はいずれも物体側へ移動する。
【００３０】
第１レンズ群Ｌ１は像側に凸状の軌跡を描いて移動して変倍に伴う像面変動を補償する。なお、ズーミングに際して、第２レンズ群Ｌ２と第４レンズ群Ｌ４とは相対位置（互いの軸上空気間隔）を変えず一体的に移動しており、これにより移動機構の簡素化を図っている。また、第１レンズ群Ｌ１を物体側へ移動させることで、無限遠物体から至近物体へのフォーカシングを行っている。第１レンズ群Ｌ１でフォーカシングを行えば、広角端から望遠端において物体距離による繰出量が略等しくなるようにしている。これにより移動機構の簡素化を図っている。
【００３１】
像ぶれ補正に際しての光学性能（防振性能）を良好に維持しつつ、防振レンズ成分の小型化を図るためには、防振レンズ成分に入射する軸外光束が光軸から離れていない方が良い。また、防振性能は、望遠端において低下する傾向となるため、望遠端における軸外光束の入射位置が光軸から離れていないレンズを防振レンズ成分とするのが良い。このため各実施例では第２Ｂレンズ成分を防振レンズ成分としている。
【００３２】
第２レンズ群Ｌ２全体では、正の屈折力であることから第２Ｂレンズ成分Ｌ２Ｂを正の屈折力にした方が、第２Ａレンズ成分Ｌ２Ａの屈折力を弱く設定することができるので第２Ａレンズ成分Ｌ２Ａ単独の収差補正が容易となる。また、第２Ｂレンズ成分Ｌ２Ｂで防振するときの防振性能を良好に維持しつつ第２Ｂレンズ成分Ｌ２Ｂの小型化を図るためには第２Ｂレンズ成分Ｌ２Ｂの屈折力を適切に設定することが重要である。
【００３３】
そこで第２レンズ群Ｌ２と第２Ｂレンズ成分の焦点距離を各々ｆ２、ｆ２Ｂとする。このとき、
０．１＜ｆ２／ｆ２Ｂ＜０．６    ・・・（１）
なる条件式を満足するようにしている。
【００３４】
次に前述の条件式の技術的意味について説明する。条件式（１）は適切な防振敏感度を得て、全系の小型化を図りつつ、良好なる防振性能を得るためのものである。条件式（１）下限値を超えて第２Ｂレンズ成分Ｌ２Ｂの屈折力が弱くなり過ぎると、特に望遠端における防振敏感度が低くなり過ぎて、第２Ｂレンズ成分Ｌ２Ｂの垂直方向への移動量が増大し、第２Ｂレンズ成分Ｌ２Ｂが大型化するため良くない。また、条件式（１）の上限値を超えて第２Ｂレンズ成分Ｌ２Ｂの屈折力が強くなり過ぎると、防振性能を良好に維持することが困難となるため良くない。
【００３５】
更に好ましくは、条件式（１）の数値範囲を次の如く設定とすることが望ましい。
０．１５＜ｆ２／ｆ２Ｂ＜０．２５    ・・・（１ａ）
【００３６】
以上のように各実施例によれば像ぶれ補正のための駆動手段の負荷が少なく、装置全体の小型化が容易で、かつ防振性能を良好に維持することができるズームレンズが得られる。本発明において更に好ましくは次の条件式のうち１つ以上を満足するのが良い。
【００３７】
第１レンズ群Ｌ１の焦点距離をｆ１、望遠端における全系の焦点距離をｆｔ、望遠端における第１レンズ群Ｌ１と第２レンズ群Ｌ２の間隔をｄｔ１２とする。第２Ｂレンズ成分Ｌ２Ｂは１枚の正レンズＧ２Ｂｐからなり、正レンズＧ２Ｂｐの物体側のレンズ面と像側のレンズ面の曲率半径を各々ＲＢ１、ＲＢ２とする。正レンズＧ２Ｂｐの材料のアッベ数をνＢとする。
【００３８】
第２レンズ群Ｌ２のレンズ系中に開口絞りＳＰが配置されており、開口絞りＳＰから第２Ｂレンズ成分Ｌ２Ｂの最も物体側のレンズ面までの光軸上の距離をＤＰＢ、第２レンズ群Ｌ２の厚みをＢ２とする。第２Ａレンズ成分Ｌ２Ａの最も像側のレンズ面と第２Ｂレンズ成分Ｌ２Ｂの中で最も物体側のレンズ面との光軸上の距離をＤ２ＡＢとする。第２レンズ群Ｌ２の焦点距離をｆ２、第４レンズ群Ｌ４の焦点距離をｆ４とする。
【００３９】
このとき次の条件式のうち１つ以上を満足するのが良い。
０．４＜｜ｆ１／ｆｔ｜＜０．６                              ・・・（２）
０．０１＜ｄ１２ｔ／ｆｔ＜０．１５                          ・・・（３）
−０．３＜（ＲＢ１＋ＲＢ２）／（ＲＢ１−ＲＢ２）＜０．３    ・・・（４）
６５．０＜νＢ                                              ・・・（５）
０．５＜ＤＰＢ／Ｂ２＜０．９                                ・・・（６）
０．０５＜Ｄ２ＡＢ／Ｂ２＜０．３０                          ・・・（７）
０．４＜ｆ２／ｆ４＜０．８                                  ・・・（８）
【００４０】
次に前述の各条件式の技術的意味について説明する。条件式（２）と条件式（３）は防振レンズ成分である第２Ｂレンズ成分の小型化を図りつつ良好な防振性能を得るためのものである。このうち条件式（２）は第１レンズ群Ｌ１と望遠端における全系の焦点距離の比を規定している。条件式（２）の下限値を超えて、第１レンズ群Ｌ１の負の屈折力が強くなり過（負の屈折力の絶対値が大きくなり）過ぎると第１レンズ群Ｌ１より球面収差が多く発生し、この収差の補正が困難となる。また第２レンズ群Ｌ２へ入射する光束径が大きくなり、第２Ｂレンズ成分Ｌ２Ｂのレンズ径が増大するため好ましくない。
【００４１】
また、条件式（２）の上限値を超えて、第１レンズ群Ｌ１の屈折力が弱くなり（負の屈折力の絶対値が小さくなり）過ぎると第１レンズ群Ｌ１のレンズ径が増大するため好ましくない。
【００４２】
条件式（３）は望遠端における第１レンズ群Ｌ１と第２レンズ群Ｌ２の間隔に対する望遠端における全系の焦点距離の比に関し、特に防振レンズ成分である第２Ｂレンズ成分の小型化を図るためのものである。
【００４３】
条件式（３）の下限値を超えると望遠端において第１レンズ群Ｌ１と第２レンズ群Ｌ２が干渉してくるので好ましくない。また、上限値を超えると第１レンズ群Ｌ１より発散した光束が第２レンズ群Ｌ２を入射する光束径が増大し、第２レンズ成分Ｌ２Ｂへ入射する光束径が増大するため好ましくない。第２Ｂレンズ成分Ｌ２Ｂを１枚の正レンズで構成すれば、第２Ｂレンズ成分Ｌ２Ｂの軽量化が図られ、防振メカ機構の簡略化、及び小型化が図れるため好ましい。
【００４４】
条件式（４）は第２Ｂレンズ成分Ｌ２Ｂを１枚の正レンズＧ２Ｂｐで構成したときの望遠端における防振性能を良好に維持するためのものである。条件式（４）の下限値を超えると、正レンズＧ２Ｂｐの物体側のレンズ面の曲率が強くなり過ぎて防振性能を良好に維持することが困難となるため好ましくない。また、条件式（４）の上限値を超えると、正レンズＧ２Ｂｐの物体側のレンズ面の曲率が強くなり過ぎて防振性能を良好に維持することが困難となるため好ましくない。
【００４５】
条件式（５）は防振時の色収差を良好に維持するためのものである。第２Ｂレンズ成分を光軸に対して垂直方向の成分を持つ方向に変位させるため、第２Ｂレンズ成分Ｌ２Ｂ単独での色収差は極力補正されていた方が良い。条件式（５）の下限値を超えると防振時の色収差を良好に維持するのが困難となり、色収差を良好に維持するためにレンズ枚数を増やすと第２Ｂレンズ成分Ｌ２Ｂのレンズ重量が重くなり好ましくない。
【００４６】
条件式（６）は第２レンズ群Ｌ２の小型化を図りつつ良好な防振性能を得るためのものである。条件式（６）の下限値を超えて開口絞りＳＰと第２レンズ成分Ｌ２Ｂが近くに配置されると開口絞りＳＰのメカ機構と防振メカ機構の配置が困難となるため好ましくない。また、条件式（６）の上限値を超えて開口絞りＳＰと第２Ｂレンズ成分Ｌ２Ｂが遠くに配置されると第２Ｂレンズ成分Ｌ２Ｂを通過する軸外光束が光軸から離れ、防振時の色収差補正が困難となるため、好ましくない。
【００４７】
条件式（７）は第２レンズ群Ｌ２の小型化を図るためのものである。条件式（７）の下限値を超えると第２Ｂレンズ成分Ｌ２Ｂを光軸に対して垂直方向の成分を持つ方向に変位させたときに第２Ｂレンズ成分Ｌ２Ｂが第２Ａレンズ成分Ｌ２Ａに干渉してくるので好ましくない。また、上限値を超えると第２レンズ群Ｌ２の全長が増大し、強いては、レンズ系全体が大型化するため、好ましくない。
【００４８】
条件式（８）は十分な長さのバックフォーカスを確保しつつ良好な光学性能と全系の小型化を図るためのものである。条件式（８）は、正の屈折力の第２レンズ群Ｌ２と正の屈折力の第４レンズ群Ｌ４の焦点距離の比に関する。条件式（８）の下限値を超えて第２レンズ群Ｌ２の焦点距離が短くなり過ぎると、広角端における像側主点が、より物体側へ位置するようになり、長いバックフォーカスを確保するのが困難となる。また、特に望遠端において球面収差の補正が困難となるため好ましくない。
【００４９】
条件式（８）の上限値を超えて第２レンズ群Ｌ２の屈折力が弱くなり過ぎると、特に広角端から望遠端へのズーミングに際して第２レンズ群Ｌ２の移動量が増大し、レンズ全長が増大するため好ましくない。
【００５０】
各実施例において更に好ましくは条件式（２）乃至（８）の数値範囲を次の如く設定するのが良い。
０．４３＜｜ｆ１／ｆｔ｜＜０．５０                          ・・・（２ａ）
０．０５＜ｄ１２ｔ／ｆｔ＜０．１２                          ・・・（３ａ）
−０．２＜（ＲＢ１＋ＲＢ２）／（ＲＢ１−ＲＢ２）＜０．２    ・・・（４ａ）
６８．０＜νＢ                                              ・・・（５ａ）
０．６＜ＤＰＢ／Ｂ２＜０．８                                ・・・（６ａ）
０．１０＜Ｄ２ＡＢ／Ｂ２＜０．１８                          ・・・（７ａ）
０．５０＜ｆ２／ｆ４＜０．６８                              ・・・（８ａ）
【００５１】
各実施例では広角端から望遠端へのズーミングに際して第１レンズ群Ｌ１と第２レンズ群Ｌ２の空気間隔を減少させることで変倍効果を得ている。ズーミングに際しての色収差の変動を抑制するためには第２レンズ群Ｌ２の色収差は良好に補正していることが好ましい。
【００５２】
一方で第２Ｂレンズ成分Ｌ２Ｂで像ぶれ補正をしているため、第２Ｂレンズ成分Ｌ２Ｂは単独で色収差の補正がされていることが好ましい。故に第２Ａレンズ成分Ｌ２Ａ単独で色収差が良好に補正されていることが好ましい。このため、第２Ａレンズ成分Ｌ２Ａに正レンズと負レンズを接合した接合レンズで構成している。広角端から望遠端へのズーミングに際し、第１レンズ群Ｌ１は像側に凸状の軌跡で移動するとズーミングにおける第１レンズ群Ｌ１の移動量を短くすることができ、レンズ全長の短縮化が図れるので好ましい。
【００５３】
次に各実施例の各レンズ群のレンズ構成について説明する。以下、各レンズ群のレンズ構成は物体側から像側へ順に配置されているものとする。第１レンズ群Ｌ１は物体側の面が凸形状の正レンズ、像側に凹面を向けたメニスカス形状の負レンズ、両凹形状の負レンズ、物体側に凸面を向けたメニスカス形状の正レンズより構成している。
【００５４】
第２Ａレンズ成分Ｌ２Ａは両凸形状の正レンズ、負レンズと正レンズを接合した接合レンズより構成している。第２Ｂレンズ成分Ｌ２Ｂは両凸形状の正レンズより構成している。第３レンズ群Ｌ３は両凹形状の負レンズと正レンズを接合した接合レンズより構成している。第４レンズ群Ｌ４は負レンズ、両凸形状の正レンズより構成している。
【００５５】
図１７は一眼レフカメラ（撮像装置）の要部概略図である。図１７において、１０は実施例１乃至４のいずれかの実施例のズームレンズ１を有する撮像光学系である。ズームレンズ１は保持部材である鏡筒２に保持されている。２０はカメラ本体である。カメラ本体２０はクイックリターンミラー３、焦点板４、ペンタダハプリズム５、接眼レンズ６等によって構成されている。クイックリターンミラー３は、撮像光学系１０からの光束を上方に反射する。焦点板４は撮像光学系１０の像形成位置に配置されている。
【００５６】
ペンタダハプリズム５は焦点板４に形成された逆像を正立像に変換する。観察者は、その正立像を接眼レンズ６を介して観察する。７は感光面であり、像を受光するＣＣＤセンサやＣＭＯＳセンサ等の固体撮像素子（光電変換素子）や銀塩フィルムが配置される。撮影時にはクイックリターンミラー３が光路から退避して、感光面７上に撮像レンズ１０によって像側形成される。このように本発明のズームレンズを一眼レフカメラ交換レンズ等の撮像装置に適用することにより、高い光学性能を有する撮像装置を実現している。
【００５７】
この他、本発明のズームレンズはクイックリターンミラーのないミラーレスの一眼レフカメラにも同様に適用することができる。この他、本発明のズームレンズは、デジタルカメラ、ビデオカメラ、銀塩フィルム用カメラ等にも適用できる。
【００５８】
以上、本発明の好ましい実施形態について説明したが、本発明はこれらの実施形態に限定されず、その要旨の範囲内で種々の変形及び変更が可能である。
【００５９】
以下、実施例１乃至４のズームレンズに対応する具体的な数値データを示す。ｉは物体から数えた順序を示す。面番号ｉは物体側から順に数えている。ｒｉは曲率半径、ｄｉは第ｉ番目と第ｉ＋１番目の面間隔である。ｎｄｉとνｄｉはそれぞれｄ線に対する第ｉ面と第（ｉ＋１）面との間の媒質の屈折率、アッベ数を表す。またＢＦはバックフォーカスである。レンズ全長は第１レンズ面から像面までの距離を表す。
【００６０】
また、非球面は面番号の後に、＊の符号を付加して表している。非球面形状はＸを光軸方向の面頂点からの変位量、ｈを光軸と垂直な方向の光軸からの高さ、Ｒを近軸曲率半径、ｋを円錐定数、Ａ４、Ａ６、Ａ８、Ａ１０を各次数の非球面係数とするとき、
ｘ＝（ｈ2／Ｒ）／［１＋｛１−（１＋ｋ）（ｈ／Ｒ）2］1/2＋Ａ４・ｈ4＋Ａ６・ｈ6＋Ａ８・ｈ8＋Ａ１０・ｈ10
で表す。なお、各非球面係数における「Ｅ±ＸＸ」は「×１０±ＸＸ」を意味している。前述の各条件式に相当する数値を表−１に示す。
【００６１】
［実施例１］
単位 mm
面データ
面番号       r        d      nd         νd
1        130.616    3.00   1.51633    64.1           
2       -704.334    0.15                             
3         73.066    1.60   1.60311    60.6           
4         14.383    8.40                             
5       -116.720    1.20   1.67790    55.3           
6         28.263    0.15                             
7         21.538    3.10   1.84666    23.9           
8         46.226  (可変)                             
9         70.571    1.70   1.51742    52.4           
10        -93.830    1.50                             
11(絞り)    ∞       1.50                             
12         19.944    0.90   1.84666    23.9           
13         13.251    4.00   1.48749    70.2           
14        -69.840    2.00                            
15        133.873    1.70   1.48749    70.2           
16       -168.212  (可変)                             
17        -33.401    0.80   1.63980    34.5           
18         13.118    2.00   1.84666    23.9           
19         31.969  (可変)                             
20      -3063.090    1.50   1.58306    30.2           
21*        84.355    0.38                             
22         93.508    3.70   1.51633    64.1           
23        -19.936  (可変)                             
像面        ∞   
【００６２】
非球面データ
第21面
K = 0.00000e+000  A 4= 2.79428e-005  A 6=-6.32613e-009  A 8= 4.39667e-010  A10=-3.14328e-012  
各種データ
ズーム比     2.86 
広角     中間     望遠
焦点距離      18.50    30.49    53.00  
Fナンバー      3.61     4.33     5.88  
半画角（度）  36.44    24.13    14.45  
像高          13.66    13.66    13.66  
レンズ全長   119.18   112.12   121.77  
BF            36.00    46.85    67.00  
d 8           32.69    14.78     4.28  
d16            2.80     5.86     9.98  
d19            8.42     5.36     1.24  
d23           36.00    46.85    67.00  
レンズ群とレンズ成分のデータ
群  始面    焦点距離  
1    1     -25.49  
2    9      25.89  
3   17     -33.26  
4   20      40.81  
f2A   9      29.34
f2B  15     153.20
【００６３】
［実施例２］
単位 mm
面データ
面番号       r        d      nd         νd
1         87.664    3.20   1.51633    64.1           
2        919.104    0.15                             
3         46.920    1.60   1.60311    60.6           
4         13.138    8.40                             
5        -76.404    1.20   1.67790    55.3           
6         27.636    0.15                             
7         20.748    3.10   1.84666    23.9           
8         46.696  (可変)                             
9         69.560    1.70   1.51742    52.4           
10       -100.219    1.50                             
11(絞り)    ∞       1.50                             
12         20.076    0.90   1.84666    23.9           
13         13.131    4.00   1.48749    70.2           
14        -57.868    2.00                            
15        167.406    1.70   1.48749    70.2           
16       -133.745  (可変)                             
17        -33.647    0.80   1.63980    34.5           
18         13.505    2.00   1.84666    23.9           
19         31.350  (可変)                             
20       -539.242    1.50   1.52996    55.8           
21*        60.511    0.38                             
22         52.130    4.20   1.48749    70.2           
23        -19.482  (可変)                             
像面        ∞   
【００６４】
非球面データ
第21面
K = 0.00000e+000  A 4= 3.06896e-005  A 6=-2.54243e-008 
A 8= 6.19984e-010  A10=-6.10402e-012  
各種データ
ズーム比     2.86 
広角     中間     望遠
焦点距離      18.50    30.49    53.00  
Fナンバー      3.61     4.33     5.88  
半画角（度）  36.44    24.13    14.45  
像高          13.66    13.66    13.66  
レンズ全長   119.88   112.97   122.73  
BF            36.00    46.85    67.00  
d 8           32.69    14.93     4.54  
d16            2.80     5.86     9.98  
d19            8.42     5.36     1.24  
d23           36.00    46.85    67.00  
レンズ群とレンズ成分のデータ
群  始面    焦点距離  
1    1     -25.28  
2    9      25.26  
3   17     -32.35  
4   20      40.31  
f2A   9      28.90
f2B  15     152.79
【００６５】
［実施例３］
単位 mm
面データ
面番号       r        d      nd         νd
1        129.379    3.00   1.51633    64.1           
2       -452.662    0.15                             
3         84.141    1.60   1.60311    60.6           
4         14.115    7.60                             
5       -120.467    1.20   1.71300    53.9           
6         28.278    0.15                             
7         21.643    3.10   1.80518    25.4           
8         58.840  (可変)                             
9         88.184    1.70   1.51823    58.9           
10        -81.092    1.50                             
11(絞り)    ∞       1.50                             
12         20.203    0.90   1.84666    23.9           
13         13.707    4.00   1.48749    70.2           
14        -76.445    2.00                            
15        143.304    1.70   1.48749    70.2           
16       -159.423  (可変)                             
17        -35.695    0.80   1.63980    34.5           
18         13.762    2.00   1.84666    23.9           
19         35.418  (可変)                             
20       -457.832    1.50   1.58306    30.2           
21*        76.756    0.38                             
22         91.606    3.80   1.51633    64.1           
23        -20.553  (可変)                             
像面        ∞   
【００６６】
非球面データ
第21面
K = 0.00000e+000  A 4= 2.79703e-005  A 6=-2.57360e-008 
A 8= 1.79477e-009  A10=-1.90537e-011  
各種データ
ズーム比     2.87 
広角     中間     望遠
焦点距離      18.50    30.51    53.00  
Fナンバー      3.63     4.35     5.88  
半画角（度）  36.44    24.12    14.45  
像高          13.66    13.66    13.66  
レンズ全長   119.69   112.53   122.45  
BF            36.00    47.20    68.00  
d 8           33.90    15.54     4.66  
d16            2.80     5.86     9.98  
d19            8.42     5.36     1.24  
d23           36.00    47.20    68.00  
レンズ群とレンズ成分のデータ
群  始面    焦点距離  
1    1     -25.58  
2    9      26.07  
3   17     -37.11  
4   20      45.00  
f2A   9      29.96
f2B  15     155.09
【００６７】
［実施例４］
単位 mm
面データ
面番号       r        d      nd         νd
1        127.468    3.20   1.51633    64.1           
2       -563.470    0.15                             
3         78.445    1.60   1.60311    60.6           
4         14.587    8.00                             
5       -124.402    1.20   1.71300    53.9           
6         29.648    0.15                             
7         22.505    3.50   1.80518    25.4           
8         56.953  (可変)                             
9         99.026    1.70   1.51823    58.9           
10        -90.647    1.50                             
11(絞り)    ∞       1.50                             
12         20.372    0.90   1.84666    23.9           
13         14.053    4.50   1.48749    70.2           
14        -77.785    2.00                            
15        134.679    1.70   1.48749    70.2           
16       -170.230  (可変)                            
17        -38.903    0.80   1.63980    34.5           
18         13.656    2.40   1.84666    23.9           
19         35.866  (可変)                             
20       -229.462    1.50   1.58306    30.2           
21*        75.913    0.38                             
22         76.785    3.60   1.51633    64.1           
23        -22.293  (可変)                             
像面        ∞   
【００６８】
非球面データ
第21面
K = 0.00000e+000  A 4= 2.78698e-005  A 6=-3.62393e-008 
A 8= 2.10448e-009  A10=-2.10048e-011  
各種データ
ズーム比     3.14 
広角     中間     望遠
焦点距離      18.50    32.14    58.00  
Fナンバー      3.47     4.24     5.88  
半画角（度）  36.44    23.03    13.25  
像高          13.66    13.66    13.66  
レンズ全長   124.73   116.95   130.00  
BF            36.00    49.30    74.00  
d 8           37.24    16.16     4.51  
d16            2.80     5.86     9.98  
d19            8.42     5.36     1.24  
d23           36.00    49.30    74.00  
レンズ群とレンズ成分のデータ
群  始面    焦点距離  
1    1     -26.29  
2    9      26.81  
3   17     -39.99  
4   20      49.94  
f2A   9      30.97
f2B  15     154.52
【００６９】
【表１】
2016212246.tif 000003
【符号の説明】
【００７０】
Ｌ１  第１レンズ群      Ｌ２  第２レンズ群      Ｌ３  第３レンズ群
Ｌ４  第４レンズ群      Ｌ２Ａ  第２Ａレンズ成分      Ｌ２Ｂ  第２Ｂレンズ成分
ＳＰ  開口絞り
【図１】
2016212246.tif 000004
【図２】
2016212246.tif 000005
【図３】
2016212246.tif 000006
【図４】
2016212246.tif 000007
【図５】
2016212246.tif 000008
【図６】
2016212246.tif 000009
【図７】
2016212246.tif 000010
【図８】
2016212246.tif 000011
【図９】
2016212246.tif 000012
【図１０】
2016212246.tif 000013
【図１１】
2016212246.tif 000014
【図１２】
2016212246.tif 000015
【図１３】
2016212246.tif 000016
【図１４】
2016212246.tif 000017
【図１５】
2016212246.tif 000018
【図１６】
2016212246.tif 000019
【図１７】
2016212246.tif 000020